(57)【特許請求の範囲】
【請求項１】
画像形成装置本体内の空気を装置本体外に排出する排気ファンで、画像転写後に転写紙搬送路を通して定着器へと搬送する転写紙を、前記転写紙搬送路上に設ける搬送ガイドへと吸着する電子写真式画像形成装置において、
前記排気ファンをダクトに備え、前記排気ファンで前記転写紙搬送路と直交する方向に吸引した空気を前記ダクトで屈曲して排気する一方、
前記排気ファンで空気を吸引する方向と直交する方向から前記ダクトの前記排気ファン上にオゾンフィルタを取り付け、
そのオゾンフィルタを、
それから手を離したとき該オゾンフィルタ自体に形成する抜け止め用の係合部を前記排気ファンに係合して抜け止めし、
それに手を掛けて持ち上げたときその係合を解除して前記ダクトから取り出し可能とする、
ことを特徴とする、電子写真式画像形成装置。
【請求項２】
前記係合部を、１または複数の突起で形成してなる、請求項１に記載の電子写真式画像形成装置。
【請求項３】
前記オゾンフィルタに、着脱用の取っ手を設けてなる、請求項１に記載の電子写真式画像形成装置。
【請求項４】
前記オゾンフィルタに、フィルタ部材と同一材料で前記係合部と、着脱用の取っ手を形成してなる、請求項１、２、または３に記載の電子写真式画像形成装置。
【請求項５】
前記係合部を、前記オゾンフィルタの表裏に形成してなる、請求項１、２、３、または４に記載の電子写真式画像形成装置。
【発明の詳細な説明】
【０００１】
【発明の属する技術分野】
この発明は、複写機・ファクシミリ・プリンタやそれらの複合機に適用し得る。詳しくは、帯電・書込み・現像・転写・クリーニング等を繰り返して像担持体上に順次画像を形成し、その像担持体上に形成した画像を逐次転写紙に転写することで、電子写真式画像形成技術を用いて転写紙上に画像を形成する電子写真式画像形成装置に関する。
【０００２】
【従来の技術】
従来、この種の電子写真式画像形成装置の中には、像担持体上に形成した画像を転写紙の下面に転写し、その画像転写後の転写紙を定着器へと搬送して該転写紙上の未定着画像を定着してから、いわゆるフェイスダウンで画像形成装置本体外のたとえば排紙スタック部上に排出するものがある。
【０００３】
この種の画像形成装置では、よく行われるように、像担持体と定着器間の転写紙搬送路下に搬送ガイドを設け、その搬送ガイド上を通過する画像転写後の転写紙を該搬送ガイドで案内して定着器へと搬送する構成とすると、該搬送ガイドで擦って転写紙下面の未定着画像を乱し、異常画像を発生する問題があった。
【０００４】
このため、従来の画像形成装置の中には、像担持体と定着器間の転写紙搬送路上に搬送ガイドを設けるとともに、その搬送ガイド下を通過する転写紙を該搬送ガイドへと吸着する吸引ファンを設け、その吸引ファンで吸着しながら搬送ガイドで案内して画像転写後の転写紙を定着器へと搬送するものがある。
【０００５】
このようにすると、吸引ファンで吸着するから、腰の弱い転写紙や極薄い転写紙等の場合にも撓むことなく、搬送ガイドに沿わせて確実に搬送することができるとともに、転写紙の画像面を搬送ガイドで擦る心配がないから、転写紙下面の未定着画像を乱すおそれがなく、異常画像の発生を防ぐことができる。
【０００６】
そして、専用の吸引ファンを設けるとコスト高となることから、従来の画像形成装置の中には、画像形成装置本体内の空気を装置本体外に排出する排気ファンで、この転写紙を搬送ガイドへと吸着する吸引ファンを兼ねるようにしたものがある。
【０００７】
【発明が解決しようとする課題】
ところが、このような電子写真式画像形成装置において、ジャム処理や内蔵カートリッジ交換や内部部品交換等のメンテナンス時に装置本体の外装カバーを開いたとき、たとえば排気ファンの前後に設けるオゾンフィルタが落下することがある課題があった。
【０００８】
そこで、この発明の目的は、画像形成装置本体内の空気を装置本体外に排出する排気ファンで、画像転写後に定着器へと搬送する転写紙を搬送ガイドへと吸着するタイプの電子写真式画像形成装置において、オゾンフィルタの着脱を容易としつつ、装置本体の外装カバーを開いたときのオゾンフィルタの落下を防止することにある。
【０００９】
【課題を解決するための手段】
そのため、請求項１に記載の発明は、たとえば以下の図面を用いて説明する実施の形態のとおり、画像形成装置本体１００内の空気を装置本体１００外に排出する排気ファン５７で、画像転写後に転写紙搬送路５４を通して定着器３７へと搬送する転写紙３２を、前記転写紙搬送路５４上に設ける搬送ガイド５９へと吸着する電子写真式画像形成装置において、
排気ファン５７をダクト６３に備え、排気ファン５７で転写紙搬送路５４と直交する方向に吸引した空気をダクト６３で屈曲して排気する一方、
排気ファン５７で空気を吸引する方向と直交する方向からダクト６３の排気ファン５７上にオゾンフィルタ５８を取り付け、
そのオゾンフィルタ５８を、
それから手を離したとき該オゾンフィルタ５８自体に形成する抜け止め用の係合部７１・７１を排気ファン５７に係合して抜け止めし、
それに手を掛けて持ち上げたときその係合を解除してダクト６３から取り出し可能とする、
ことを特徴とする。
【００１０】
そして、この請求項１に記載の発明では、オゾンフィルタ５８の着脱時、そのオゾンフィルタ５８の抜け止め用の係合部７１・７１を係合または係合解除してオゾンフィルタ５８を着脱する。
【００１１】
請求項２に記載の発明は、請求項１に記載の電子写真式画像形成装置において、たとえば以下の図面を用いて説明する実施の形態のとおり、前記係合部７１・７１を、１または複数の突起で形成してなる、ことを特徴とする。
【００１２】
そして、この請求項２に記載の発明では、オゾンフィルタ５８の着脱時、そのオゾンフィルタ５８の１または複数の突起を係合または係合解除してオゾンフィルタ５８を着脱する。
【００１３】
請求項３に記載の発明は、請求項１に記載の電子写真式画像形成装置において、たとえば以下の図面を用いて説明する実施の形態のとおり、前記オゾンフィルタ５８に、着脱用の取っ手７２・７２を設けてなる、ことを特徴とする。
【００１４】
そして、この請求項３に記載の発明では、オゾンフィルタ５８の着脱時、取っ手７２・７２を持ってオゾンフィルタ５８を着脱する。
【００１５】
請求項４に記載の発明は、請求項１、２、または３に記載の電子写真式画像形成装置において、たとえば以下の図面を用いて説明する実施の形態のとおり、前記オゾンフィルタ５８に、フィルタ部材７０と同一材料で前記係合部７１・７１と、着脱用の取っ手７２・７２を形成してなる、ことを特徴とする。
【００１６】
そして、この請求項４に記載の発明では、フィルタ部材７０と同一材料で係合部７１・７１と、着脱用の取っ手７２・７２を形成してオゾンフィルタ５８をつくる。
【００１７】
請求項５に記載の発明は、請求項１、２、３、または４に記載の電子写真式画像形成装置において、たとえば以下で説明する実施の形態のとおり、前記係合部７１・７１を、前記オゾンフィルタ５８の表裏に形成してなる、ことを特徴とする。
【００１８】
そして、この請求項５に記載の発明では、オゾンフィルタ５８の取り付け時、表裏関係なく係合部７１・７１を係合してオゾンフィルタ５８を取り付ける。
【００１９】
【発明の実施の形態】
以下、図面を参照しつつ、この発明の実施の形態につき説明する。
図７には、この発明による電子写真式多色画像形成装置の内部機構の全体概略構成を示す。図中符号１００は画像形成装置本体であり、その装置本体１００内に第１の像担持体であるベルト状の感光体１０と、第２の像担持体であるベルト状の中間転写体１１を備えてなる。
【００２０】
ベルト状の感光体１０は、ローラ１２・１３に掛け渡し、矢印ａ方向に回転駆動する。そして、まず帯電器１４によりその表面を一様に、定められた極性に帯電する。次いで、光書込み器１５により、各色の書込み情報に応じたレーザ光Ｌを照射し、その帯電された感光体１０の表面に静電潜像を形成する。
【００２１】
光書込み器１５では、不図示のレーザ光源からのレーザ光Ｌを、モータ１６で回転するポリゴンミラー１７で反射し、ｆθレンズ１８やミラー１９等の光学部品を経て器外に出射する。
【００２２】
さて、感光体１０の表面に形成した静電潜像は、多色現像器２０に備えるシアン現像ユニット２１・マゼンタ現像ユニット２２・イエロー現像ユニット２３で逐次現像して後、黒色トナー現像器２４で現像して可視像化する。多色現像器２０は、不図示の駆動装置により回転して所望色の現像ユニットを感光体１０と対向する。また、黒色トナー現像器２４は、カム２５を回動することにより、感光体１０に対して接離する。
【００２３】
他方、ベルト状の中間転写体１１は、ローラ２７・２８に掛け渡し、矢印ｂ方向に回転駆動する。そして、その中間転写体１１には、バイアス器３０の働きにより、感光体１０と接するところで、感光体１０上に形成した単色トナー画像を逐次転写する。
【００２４】
フルカラーの場合には、シアン・マゼンタ・イエロー・黒の各色のトナー像を重ねて転写して中間転写体１１上に合成カラー画像を形成し、それを転写ローラ３１で中間転写体１１上から転写紙３２上に一括転写する。
【００２５】
転写紙３２は、給紙カセット３３内に積載して収納する。そして、給紙ローラ３４の回転により上から順に繰り出し、搬送ローラ対３５で搬送してレジストローラ対３６に突き当てて止める。レジストローラ対３６は、中間転写体１１上の合成カラー画像にタイミングを合わせて駆動し、転写紙３２を中間転写体１１に向けて送り込む。
【００２６】
画像転写後の転写紙３２は、定着器３７へと搬送し、そこで熱と圧力とを加えて転写画像を定着する。そして、排紙ローラ対３８で排紙スタック部３９上に、画像記録面を下にしたいわゆるフェイスダウン状態で排出してページ順にスタックする。
【００２７】
なお、定着器３７には、図６にも示すように、ヒータ４１を内蔵する定着ローラ４０と、その定着ローラ４０に転写紙３２を押し付ける加圧ローラ４２を設け、またシリコン系のオイルを付着するオイル補給ローラ４３・４４を設ける。そして、オイル補給ローラ４４で定着ローラ４０の表面に薄い膜状のオイルを塗布することにより、転写紙３２表面のトナーを、定着ローラ４０に付着することなく溶融し、転写紙３２上に定着する。
【００２８】
さて、図７に示すとおり、感光体１０から中間転写体１１に転写した際、感光体１０上に残留するトナーは、クリーニング器４６のクリーニングブレード４７で掻き落す。一方、中間転写体１１から転写紙３２に転写した際、中間転写体１１上に残留するトナーは、クリーニング器４８のクリーニングブレード４９で掻き落す。
【００２９】
感光体１０上を清掃するクリーニングブレード４７は、常に感光体１０に接し、クリーニング動作を行うが、中間転写体１１上を清掃するクリーニングブレード４９は、合成カラー画像を転写紙３２に転写して後に、中間転写体１１に接して残留トナーを除去するように、作動タイミングを制御して感光体１０に対して接離する。
【００３０】
除電ランプ５０は、クリーニング工程後に除電光を照射し、感光体１０上の残留電位を正規のものとし、次の作像工程に備える。
【００３１】
なお、装置本体１００の図７中右側には、手差し給紙装置５２を備える。図では、開いた使用状態で示すが、使用しないときは図中反時計方向に回動し、閉じて折り畳んだ状態とする。
【００３２】
ところで、この図示多色画像形成装置では、図６にも示すとおり、装置本体１００内で、ローラ２７と転写ローラ３１間を出た画像転写後の転写紙３２を、転写紙搬送路５４を通して定着器３７へと搬送する。その転写紙搬送路５４上には、転写紙搬送ユニット５５を設ける。
【００３３】
転写紙搬送ユニット５５は、図５に示すように、転写紙搬送路５４を横切るように配置するユニットケース５６上に、排気ファン５７を取り付け、その排気ファン５７の排気側にオゾンフィルタ５８を取り付け、さらにその上にダクト６３を被せ、図示省略するが、そのダクト６３をユニットケース５６に取り付けてなる。
【００３４】
ユニットケース５６には、下面に、転写紙搬送路５４を通過する転写紙３２を定着器３７へと案内する搬送ガイド５９を設けるとともに、定着器３７側に間隔を隔てて左右に図４に示すような切欠き５６ａを設ける。そして、それらの切欠き５６ａ位置に、各々転写紙搬送ユニット５５を取り付ける。転写紙搬送ユニット５５に設けるダクト６３は、オゾンフィルタ５８を出た空気を、図６に示す定着器３７のケース６０と外装カバー６１間の排気路６２へと導く。
【００３５】
排気ファン５７は、画像形成装置本体１００内の空気を装置本体１００外に排出するとともに、画像転写後に定着器３７へと搬送する転写紙３２を搬送ガイド５９へと吸着する。排気ファン５７のケース６５には、後述の図１および図２にも示すとおり、係合孔７４・７４を設ける。
【００３６】
オゾンフィルタ５８は、活性炭を含有するペーパー素材でハニカム状につくってフィルタ部材７０を形成し、そのフィルタ部材７０で排気ファン５７で排出する空気中のオゾンを除去する。そして、そのフィルタ部材７０と同一のペーパー素材で、図３に示すように、抜け止め用の係合部７１・７１と、着脱用の取っ手７２・７２を形成してなる。
【００３７】
この発明による抜け止め用の係合部は、たとえば１または複数の突起で形成する。図示例では、係合部７１・７１を、フィルタ部材７０の裏側の片縁に沿って２つの突起を設けることにより形成してなる。
【００３８】
一方、着脱用の取っ手７２・７２は、図３に示すように、フィルタ部材７０の両側から平行に突出して設ける。そして、オゾンフィルタ５８の取り付け時、この取っ手７２・７２を持って図２に示すようにユニットケース５６内にオゾンフィルタ５８を挿入する。そして、抜け止め用の係合部７１・７１を、図１に示すようにケース６５の係合孔７４・７４内にはめ込み、オゾンフィルタ５８を着脱自在に取り付ける。
【００３９】
そして、装置本体１００の画像形成時は、排気ファン５７を駆動し、画像転写後の転写紙３２を吸引して搬送ガイド５９に沿わせ、その搬送ガイド５９で案内して定着器３７へと導く。
【００４０】
また、排気ファン５７の駆動で、装置本体１００内の空気を吸引してオゾンフィルタ５８を通してオゾンを除去して後、ダクト６３で案内して定着器３７のケース６０と外装カバー６１間の排気路６２へと導き、装置本体１００外に排出する。
【００４１】
なお、この図示多色画像形成装置では、突起よりなる抜け止め用の係合部７１・７１をケース６５の係合孔７４・７４内にはめ込むから、ジャム処理や内蔵カートリッジ交換や内部部品交換等のメンテナンス時に装置本体１００の外装カバー６１を開いたとしても、オゾンフィルタ５８が落下するおそれはない。
【００４２】
オゾンフィルタ５８を交換等で取り外すときは、取っ手７２・７２を持って少し持ち上げ、係合孔７４・７４から係合部７１・７１を外して係合を解除してから、手前側に引き出してユニットケース５６より取り出す。
【００４３】
ところで、上述した図示例では、オゾンフィルタ５８のフィルタ部材７０の裏側に２つの突起を設けて係合部７１・７１を形成したが、同様に表側にも２つの突起を設けて係合部を形成し、オゾンフィルタ５８の取り付け時、表裏関係なく係合部を係合してオゾンフィルタ５８を取り付け可能とすると、ユーザーの取り付けミスを少なくすることができるとともに、オゾンフィルタ５８の取り付けを一層容易とすることができる。
【００４４】
したがって、請求項１に記載の発明によれば、たとえば挿入引出によりオゾンフィルタの抜け止め用の係合部を係合または係合解除してオゾンフィルタを着脱するから、たとえば限られた空間における限られた方向でのオゾンフィルタの着脱を容易とすることができる。
【００４５】
請求項２に記載の発明によれば、オゾンフィルタの着脱時、そのオゾンフィルタの１または複数の突起を係合または係合解除してオゾンフィルタを着脱するから、オゾンフィルタの着脱を一層容易としながら、画像形成装置本体の外装カバーを開いたときのオゾンフィルタの落下を防止することができる。
【００４６】
請求項３に記載の発明によれば、オゾンフィルタの着脱時、取っ手を持ってオゾンフィルタを着脱するから、オゾンフィルタの着脱をなお一層容易としながら、画像形成装置本体の外装カバーを開いたときのオゾンフィルタの落下を防止することができる。
【００４７】
請求項４に記載の発明によれば、オゾンフィルタに、フィルタ部材と同一材料で係合部と、着脱用の取っ手を形成するから、分解分別することなく、一括廃棄可能として廃棄時の取り扱いを簡便とするとともに、同様の効果を達成することができる。
【００４８】
請求項５に記載の発明によれば、係合部をオゾンフィルタの表裏に形成するから、オゾンフィルタの取り付け時、表裏関係なく係合部を係合してオゾンフィルタを取り付けることができ、ユーザーの取り付けミスを少なくするとともに、その点からもオゾンフィルタの取り付けを容易として、同様の効果を達成することができる。
【図面の簡単な説明】
【図１】この発明による電子写真式画像形成装置におけるオゾンフィルタの取り付け後の状態を示す斜視図である。
【図２】そのオゾンフィルタの取り付け時の説明斜視図である。
【図３】そのオゾンフィルタ自身の斜視図である。
【図４】そのオゾンフィルタを取り付けた転写紙搬送ユニットの部分斜視図である。
【図５】そのＡ−Ａ線に沿う縦断面図である。
【図６】該転写紙搬送ユニットを備える画像形成装置本体内の部分概略構成図である。
【図７】画像形成装置本体内の内部機構の全体概略構成図である。
【符号の説明】
３２  転写紙
３７  定着器
５４  転写紙搬送路
５５  転写紙搬送ユニット
５７  排気ファン
５８  オゾンフィルタ
５９  搬送ガイド
７０  フィルタ部材
７１  抜け止め用の係合部
７２  取っ手
７４  係合孔
１００  画像形成装置本体
【図１】
0003714581.tif 000002
【図２】
0003714581.tif 000003
【図３】
0003714581.tif 000004
【図４】
0003714581.tif 000005
【図５】
0003714581.tif 000006
【図６】
0003714581.tif 000007
【図７】
0003714581.tif 000008